(57)【要約】      （修正有）【課題】側部が明るくなる自転車用照明装置において、側部での明るくなる位置を可及的に限定しないようにするとともに、側部の光と前部の光とを区別できるようにする。【解決手段】前照灯１４は、外側ケース部材２０とレンズ部材２２と内側ケース部材２４と発光部２６と反射部材２８と光漏洩部３０とを備える。外側ケース部材は、自転車に固定可能であり、内部に形成された収納空間４０と、正面に配置される第１開口４２と、側面に配置される第２開口４３とを有し、レンズ部材は、第１開口を覆う透光性を有し、内側ケース部材は、少なくとも一部が外側ケース部材の収納空間に配置され第２開口を内側から覆う透光性を有し、発光部は、内側ケース部材の内部に配置される。反射部材は、内側ケース部材の内部に配置され、レンズ部材に向けて発光部の光を反射させる部材である。光漏洩部は、発光部から出射された光を内側ケース部材に向けて漏洩可能なものである。【選択図】図５
2006205997.tif 000002
【特許請求の範囲】
【請求項１】
自転車に装着される自転車用照明装置であって、
前記自転車に固定可能であり、内部に形成された収納空間と、正面に配置される第１開口と、側面に配置される第２開口とを有する外側ケース部材と、
前記第１開口を覆う透光性を有するレンズ部材と、
少なくとも一部が前記外側ケース部材の前記収納空間に配置され前記第２開口を内側から覆う透光性を有する内側ケース部材と、
前記内側ケース部材の内部に配置される発光部と、
前記内側ケース部材の内部に配置され、前記レンズ部材に向けて前記発光部の光を反射させる反射部材と、
前記発光部から出射された光を前記内側ケース部材に向けて漏洩可能な光漏洩部と、
を備えた自転車用照明装置。
【請求項２】
前記漏洩部は、前記レンズ部材に設けられ前記内側ケース部材に近接して対向する対向部を有する、請求項１に記載の自転車用照明装置。
【請求項３】
前記内側ケース部材は、前記外側ケース部材の内壁に沿って環状に配置された環状部を有する、請求項１又は２に記載の自転用照明装置。
【請求項４】
前記内側ケース部材は、前記環状部に設けられ前記第２開口に連通する環状溝を有し、
前記外側ケース部材は、前記環状溝に連通するドレイン部を有する、請求項３に記載の自転車用照明装置。
【請求項５】
前記内側ケース部材の前記第２開口を覆う部分は、前記外側ケース部材の外側面と実質的に面一となるように突出している、請求項１から４のいずれか１項に記載の自転車用照明装置。
【請求項６】
前記第２開口は、前記外側ケース部材の側面の対向する２箇所に形成されている、請求項１から５のいずれか１項に記載の自転車用照明装置。
【請求項７】
前記ドレイン部は、前記外側ケース部材を自転車に装着したときに最も下方となる位置に形成されている、請求項４から６のいずれか１項に記載の自転車用照明装置。
【請求項８】
前記ドレイン部は、前記外側ケース部材から外部に連通するドレイン孔と、前記ドレイン孔の周囲に形成された凹部とを有している、請求項７に記載の自転車用照明装置。
【請求項９】
前記発光部は、
前記外側ケース部材の内部に配置される電球と、
前記電球を前記外側ケース部材に装着するための電球支持部と、
を有する、請求項１から８のいずれか１項に記載の自転車用照明装置。
【発明の詳細な説明】
【技術分野】
【０００１】
本発明は、照明装置、特に自転車に装着される自転車用照明装置に関する。
【背景技術】
【０００２】
自転車には、前照灯や尾灯などの照明装置がフレームに装着されている。自転車の前照灯において、従来の照明装置として、前方を照射するとともに、側方に光がもれて照明装置の側部が明るくなるものが知られている（たとえば、特許文献１参照）。従来の照明装置は、自転車に固定可能であり前部と前部の両側部とに開口するケース部材と、開口を覆うレンズ部材と、ケース部材の内部に配置される電球と、電球の光をレンズ部材に向けて反射する反射部材とを備えている。
【０００３】
従来の照明装置では、ケース部材の前部とその両側部とが開口しているので、電球の光をケース部材の前方に照射できるとともに側部にも光が漏れて側部が明るくなる。このようにケース部材の側部が明るくなると、夜間において側方からも自転車の存在を認識できるため、夜間での安全性が向上する。
【特許文献１】意匠登録第１１１６１２２号公報
【発明の開示】
【発明が解決しようとする課題】
【０００４】
前記従来の構成では、ケース部材の前部と前部の両側部とを開口し、その開口をレンズ部材で覆うようにしているので、側部の明るくなる位置が前部のみになる。したがって、側部での明るい位置が前部に限定される。しかも、前方へ照射される光がそのまま漏れているので、漏れた光と前方に照射された光とがひとかたまりになり前部と側部とを区別できない。
【０００５】
また、このような自転車用前照灯は、屋外で使用されるため、ケース部材に開口を設けると、開口をカバー部材により封止しても開口とカバー部材との隙間から液体がケース部材の内部に浸入することがある。液体がケース部材の内部に浸入する従来の照明装置では液体がケース部材の内部に残留しやすい。液体がケース部材に残留すると、液体の残留により内部の部品の腐食や絶縁不良などの不具合が生じるおそれがある。
【０００６】
本発明の課題は、側部が明るくなる自転車用照明装置において、側部での明るくなる位置を可及的に限定しないようにするとともに、側部の光と前部の光とを区別できるようにすることにある。
【０００７】
本発明の別の課題は、開口を有する自転車用照明装置において、ケース部材に液体が浸入しても可及的に残留しないようにすることにある。
【課題を解決するための手段】
【０００８】
発明１に係る自転車用照明装置は、自転車に装着される照明装置であって、外側ケース部材と、レンズ部材と、内側ケース部材と、発光部と、反射部材と、光漏洩部とを備えている。外側ケース部材は、自転車に固定可能であり、内部に形成された収納空間と、正面に配置される第１開口と、側面に配置される第２開口とを有する部材である。レンズ部材は、第１開口を覆う透光性を有する部材である。内側ケース部材は、少なくとも一部が外側ケース部材の収納空間に配置され第２開口を内側から覆う透光性を有する部材である。発光部は、内側ケース部材の内部に配置されるものである。反射部材は、内側ケース部材の内部に配置され、レンズ部材に向けて発光部の光を反射させる部材である。光漏洩部は、発光部から出射された光を内側ケース部材に向けて漏洩可能なものである。
【０００９】
この照明装置では、照明装置を前方又は後方に向けて配置すると、発光部から出射された光は反射部材により正面に設けられた第１開口を覆うレンズ部材に向けて反射され自転車の前方又は後方を照射する。また、発光部から出射された光の一部は、光漏洩部を通って内側ケース部材に向けて漏洩し、外側ケース部材の側面に設けられた第２開口を覆う内側カバー部材が明るくなる。ここでは、光漏洩部を設けて発光部から出射した光が側面に配置された第２開口を覆う透光性を有する内側ケース部材に向けて漏洩するようにしたので、第２開口を任意の位置に設けることができる。このため、側部での明るくなる位置が限定されなくなるとともに、側部の光と前部の光とを区別できるようになる。
【００１０】
発明２に係る自転車用照明装置は、発明１に記載の装置において、光漏洩部は、レンズ部材に設けられ内側ケース部材に近接して対向する対向部を有する。この場合には、反射部材で反射した光が集中するレンズ部材を利用して光漏洩部を構成できるので、光漏洩部から光が漏洩してもレンズ部材から照射される光量が減少しにくくなり、側面を明るくしても正面を照射する照度が暗くなりにくい。
【００１１】
発明３に係る自転車用照明装置は、発明１又は２に記載の装置において、内側ケース部材は、外側ケース部材の内壁に沿って環状に配置された環状部を有する。この場合には、第２開口を内側ケース部材で部分的に覆うだけでなく、外側ケース部材の内壁に沿った環状部を設けたので、内側ケース部材と第２開口との隙間から液体が浸入しても進入した液体が内側ケース部材の内部に入りにくくなる。
【００１２】
発明４に係る自転車用照明装置は、発明３に記載の装置において、内側ケース部材は、環状部に設けられ第２開口に連通する環状溝を有し、外側ケース部材は、環状溝に連通するドレイン部を有する。この場合には、第２開口と内側ケース部材との隙間から液体が浸入しても環状部に設けられた環状溝を経由して外側ケース部材のドレイン部に液体を集めやすくなる。このため、液体が浸入してもそれが装置内部に残りにくくなり、腐食や絶縁不良などの不具合が生じにくくなる。
【００１３】
発明５に係る自転車用照明装置は、発明１から３のいずれかに記載の装置において、内側ケース部材の第２開口を覆う部分は、外側ケース部材の外側面と実質的に面一となるように突出している。この場合には、第２開口を覆う部分で内側ケース部材と外側ケース部材とが面一になるので、意匠上でも好ましいものになるとともに、段差が形成されないので、第２開口の縁に異物が付着しにくくなる。
【００１４】
発明６に係る自転車用照明装置は、発明１から４のいずれかに記載の装置において、第２開口は、外側ケース部材の収納空間の側面の対向する２箇所に形成されている。この場合には、対向する２つの側面に第２開口が形成されているので、自転車を左右から視認しやすくなる。
【００１５】
発明７に係る自転車用照明装置は、発明４から５のいずれかに記載の装置において、ドレイン部は、外側ケース部材を自転車に装着したときに最も下方となる位置に形成されている。この場合には、重力によりドレイン部に液体が集まりやすくなる。
【００１６】
発明８に係る自転車用照明装置は、発明に記載の装置において、ドレイン部は、外側ケース部材から外部に連通するドレイン孔と、ドレイン孔の周囲に形成された凹部とを有している。この場合には、凹部に液体が集まりやすくなり、ドレイン部に集まった液体を効率よく外部に排出できる。
【００１７】
発明９に係る自転車用照明装置は、発明１から８のいずれかに記載の装置において、発光部は、外側ケース部材の内部に配置される電球と、電球を前記外側ケース部材に装着するための電球支持部とを有する。この場合には、電球を光源として用いるので、光量が多くなる。
【発明の効果】
【００１８】
本発明によれば、光漏洩部を設けて発光部から出射した光が側面に配置された第２開口を覆う透光性を有する内側ケース部材に向けて漏洩するようにしたので、第２開口を任意の位置に設けることができる。このため、側部での明るくなる位置が限定されなくなるとともに、側部の光と前部の光とを区別できるようになる。
【００１９】
本発明の別の発明によれば、内側ケース部材に外側ケース部材の内壁に沿って環状部を設け、環状部に環状溝を設けるとともに、外側ケース部材に環状溝に連通するドレイン部を設けたので、第２開口と内側ケース部材との隙間から液体が浸入しても環状部に設けられた環状溝を経由して外側ケース部材のドレイン部に液体を集めやすくなる。このため、液体が浸入してもそれが装置内部に残りにくくなり、腐食や絶縁不良などの不具合が生じにくくなる。
【発明を実施するための最良の形態】
【００２０】
図１において、本発明の一実施形態を採用した自転車１０１は、フロントフォーク１０２ａを有するフレーム１０２と、ハンドル１０４と、チェーンやペダル等からなる駆動部１０５と、スポーク９９を有する前輪（車輪）１０６と、後輪１０７とを備えている。この自転車１０１の前輪１０６に発電ハブ１０が組み込まれ、光センサ付きの本発明の一実施形態による前照灯１４に発電した電力が電力線１３を介して供給されている。
【００２１】
前照灯１４は、自転車１０１のフロントフォーク１０２ａに、たとえば溶接固定されたランプスティ１０２ｂに装着される。前照灯１４は、図２から図４に示すように、ランプスティ１０２ｂに固定可能な外側ケース部材２０と、外側ケース部材２０に装着されるレンズ部材２２と、外側ケース部材２０の内側に配置される内側ケース部材２４と、外側ケース部材２０の内部に配置される光源としての電球６０を有する発光部２６と、レンズ部材２２に向けて発光部２６の光を反射する反射部材２８と、発光部２６から出射した光を内側ケース部材２４に向けて漏洩する光漏洩部３０とを備えている。
【００２２】
外側ケース部材２０は、図２及び図３に示すように、ランプスティ１０２ｂに固定可能なブラケット３２と、ブラケット３２に固定されたケース本体３４とを有している。ブラケット３２は、金属板材を折り曲げて形成されたものであり、ケース本体３４の底面に、たとえばリベット３６（図２）により固定される固定部３２ａと、固定部３２ａから折り曲げられたアーム部３２ｂとを有しており、図１に示すように、アーム部３２ｂの先端がランプスティ１０２ｂの先端にボルトナット３８により固定される。
【００２３】
ケース本体３４は、たとえば、ＡＢＳ（アクリロニトリル・ブタジエンスチレン）樹脂等のポリスチレン系の合成樹脂製の部材であり、図２から図５に示すように、本体部４０と、本体部４０の内部に形成された収納空間４１と、本体部４０の正面に配置される第１開口４２と、本体部４１の側面に配置される第２開口４３とを有している。本体部４０は、内部に光センサや光センサの出力に応じて電球６０をオンオフするオンオフ回路などを含む制御回路４４が配置された第１ケース部分４０ａと、発光部２６などが収納された第２ケース部分４０ｂとを有している。第１ケース部分４０ａは、略長円形の横長に形成されている。第２ケース部分４０ｂは、第１ケース部分４０ａから急激に碗状に先拡がりに形成され、かつ電球６０の光軸に直交する断面が略円形に形成されている。
【００２４】
本体部４０は、収納空間４１において後述する第１及び第２空間４１ａ，４１ｂを形成するように略均一の厚みで形成されている。本体部４０の底部には、階段状に形成された３つの段差部４０ｃ，４０ｄ，４０ｅが形成されている。段差部４０ｃは、第１ケース部分４０ａの後部に配置されており、他の部分より凹んで形成されている。段差部４０ｃには、光センサ（図示せず）に光を導入するための採光窓４０ｆが形成されている。採光窓４０ｆは透明な円形のシール部材４９により封止されている。段差部４０ｄは、第１ケース部分４０ａの前部に配置されており、他の部分より突出して形成されている。段差部４０ｄには、ブラケット３２の固定部３２ａがリベット３６により固定されている。段差部４０ｅは、第２ケース部分４０ｂに配置され、自転車１０１に装着したときに最も下部となる位置に他の部分より突出して形成されている。段差部４０ｅには、内部に浸入した液体を排出するためのドレイン部４５が形成されている。ドレイン部４５は、外部に連通する後部に形成された配線挿通孔４５ａと、前部に形成されたスリット状のドレイン孔４５ｂを有している。ドレイン孔４５ｂは、ドレイン部４５に集まった液体を前照灯１４の外部に排出するために形成されている。
【００２５】
本体部４０の内部に形成された収納空間４１は、発光部２６を構成する遮光性を有する区画部材（電球支持部の一例）６２により、第１ケース部分４０ａと第２ケース部分４０ｂとの境界付近で、第１空間４１ａと第２空間４１ｂとの２つの空間に区画されている。
【００２６】
第１開口４２は、第２ケース部分４０ｂの正面に形成された略円形の開口であり、前照灯１４の前面に位置する。この第１開口４２にレンズ部材２２が装着される。第２開口４３は、第２ケース部分４０ｂの両側面に配置される左右１対の開口である。第２開口４３は、前照灯１４の側部に明るい部分を設け、夜間において側方からも自転車１０１の存在を認識できるようにして、夜間での安全性を向上させるために設けられている。各第２開口４３は、２つの山が連なったような略Ｗ字形状である。この第２開口４３を内側から内側ケース部材２４が塞いでいる。
【００２７】
レンズ部材２２は、たとえば透明なアクリル樹脂やポリカーボネートなどの透光性を有する合成樹脂製であり、第１開口４２を覆うように形成された円形皿状の部材である。なお、レンズ部材２２は、透光性を有していればよく、透明ではなく色付けされたものでもよい。レンズ部材２は、ケース本体３４のレンズ部材２２は、内側面に光漏洩部３０を構成する筒状の対向部４６を有している。対向部４６は内側ケース部材２４の円形の先端部に対向して配置されており、外側ケース部材２０のケース本体３４の第１開口４２の内周面に接触するようにレンズ部材２２の外径より段落ちして形成されている。レンズ部材２２は、外側ケース部材２０の前面にねじにより固定される。
【００２８】
なお、図５に示すように、レンズ部材２２の外周面の一部には、外側ケース部材２０の内周面に係止される係止凹部２２ａが形成され、係止凹部２２ａと略１５０度離れた位置にねじが貫通するねじ止め突起２２ｂが径方向に突出して形成されている。また、外側ケース部材２０の内周面には係止凹部が係止される係止突起（図示せず）が形成されているとともに、係止突起と略１５０度離れた位置にねじが螺合するねじ孔突起（図示せず）が形成されている。
【００２９】
内側ケース部材２４は、たとえば、透明なアクリル樹脂やポリカーボネートなどの透光性を有する合成樹脂製であり、少なくとも一部が外側ケース部材２０の収納空間４１に配置され第２開口４３を内側から覆う部材である。なお、内側ケース部材２４は、透光性を有していればよく、透明ではなく色付けされたものでもよい。内側ケース部材２４は、外側ケース部材２０にねじ止めされるレンズ部材２２により押圧されて外側ケース部材２０に固定される。内側ケース部材２４は、図４及び図５に示すように、第２ケース部分４０ｂの内部の第２空間４１ｂに配置された環状部５０と、環状部５０の後部に設けられた環状溝５２と、環状部５０の外側面に１対の第２開口４３を覆うように第２開口４３と同様な形状に突出して形成された１対のカバー部５４（図２，図３，図５参照）と、環状部５０及び環状溝５２を連通して形成された切欠き部５６（図５参照）と、切欠き部５６の先端をつなぐ連結部５８と、を有している。
【００３０】
環状部５０は、本体部４０の第２ケース部分４０ｂの内壁に沿って略碗状に形成されている。環状部５０の大径の先端部５０ａは、レンズ部材２２の対向部４６（漏洩部３０）に対向して配置される。これにより、対向部４６から漏洩した光によって環状部５０が明るくなる。
【００３１】
環状溝５２は、第２開口４３に連通して設けられている。環状溝５２は、カバー部５４と第２開口４３との隙間から浸入した液体をドレイン部４５に導くために形成されている。環状溝５２は、環状部５０の後端部に断面が長円形に形成された溝部５２ａと、溝部５２ａの後端に第１ケース部分４０ａに内壁に接触して配置される長円形の鍔部５２ｂとを有している。溝部５２ａは、内側ケース部材２４を外側ケース部材２０に固定するため、及び溝部５２ａに導かれた液体が後方に漏れないようにするために設けられている。
【００３２】
カバー部５４は、外側ケース部材２０の外側面と実質的に面一となるように突出して形成されている。カバー部５４は、第２開口４３の縁部に沿うような略Ｗ字形状に突出している。カバー部５４の後縁部分まで環状溝５２の溝部５２ａは延びている。したがって溝部５２ａの前後方向長さは、カバー部５４の中央部の凹んだ部分で最も長くなり、突出した両端部分で最も短くなる。
【００３３】
切欠き部５６は、段差部４０ｅの内壁に沿って形成された壁部５６ａを有している。連結部５８は、壁部５６ａを連結している。壁部５６ａの間には予備の電球６３が収納される。このような切欠き部５６及び壁部５６ａを設けることより環状溝５２に案内される液体が切欠き部５６内に浸入しにくくなる。連結部５８は、段差部４０ｅの内壁に接触して配置されている。
【００３４】
発光部２６は、外側ケース部材２０の内部に配置される光源としての電球６０と、電球６０を外側ケース部材２２に装着するための区画部材６２とを有している。電球６０は、区画部材６２にねじ込み固定されている。
【００３５】
区画部材６２には、図示しない２つの接続端子が設けられており電球６０の口金部分の側部及び後端部に電気的に接触している。区画部材６２は、たとえば、ガラス繊維を含浸させたポリアミド樹脂などの合成樹脂製であり、接続端子が配置される筒状のソケット部６２ａと、ソケット６２ａの後部に一体形成された角筒形状の保持筒部６２ｂと、保持筒部６２ｂの後部に形成された長円形のフランジ部６２ｃとを有している。フランジ部６２ｃは、外側ケース部材２０の本体部４０の第１ケース部分４０ａにねじ止めされている。保持筒部６２ｂの先端面には、反射部材２８の後端面が接触している。この区画部材６２は、前述したように電球支持部として機能するとともに第１空間４１ａと第２空間４１ｂとを区画する部材でもある。このうち、第２空間４１ｂの反射部材２８の外側の空間は、電球６０が点灯すると光漏洩部３０から漏れた光により明るくなる。しかし、第１空間４１ａは、区画部材６２より遮光され明るくならない。このため、前照灯１４の側部を明るくしても第１空間４１ａに収納された光センサが誤作動しにくくなる。
【００３６】
反射部材２８は、たとえば、ＡＢＳ（アクリロニトリル・ブタジエンスチレン）樹脂等のポリスチレン系の合成樹脂製の部材であり、非球面の反射面６５ａを前面に有する反射部６５と、反射部６５の後端部に一体形成された筒状の装着部６７とを有している。この反射面６５ａは、たとえば前面にアルミニウムを蒸着させることにより形成されたアルミニウム被膜を有している。装着部６７は、区画部材６２のソケット部６２ａと隙間をあけて筒状に形成されている。この装着部６７の内側面もアルミニウム被膜が蒸着により形成されている。反射部材２８は、反射部６５の前部がレンズ部材２２の内周面に嵌合しかつ押圧されており、装着部６７の後面が区画部材６２の保持筒部６２ｂの前面に接触している。したがって、反射部材２８は内側ケース部材２４と同様にレンズ部材２２を外側ケース部材２０にねじ止めすることにより区画部材６２を介して外側ケース部材２０に固定されている。
【００３７】
光漏洩部３０は、前述したようにレンズ部材２２の対向部４６を有している。光漏洩部３０は、レンズ部材２２に照射された光のうちレンズ部材２２を通って周方向に拡散した光を内側ケース部材２４に向けて漏洩する。
【００３８】
このように構成された前照灯１４では、自転車１０１が走行して前輪１０６に装着された発電ハブ１０が発電すると、光センサにより検出された光量に応じて電球６０がオンオフ制御される。電球６０がオンすると、電球６０から出射された光は、反射部材２８の反射部６５により正面に設けられた第１開口４２を覆うレンズ部材２２に向けて反射されレンズ部材２２を通過して自転車１０１の前方を照射する。また、電球６０から出射された光の一部は、レンズ部材２２を通って光漏洩部３０に向かい、光漏洩部３０から内側ケース部材２４に向けて漏洩し、内側ケース部材２４が明るくなる。これにより、外側ケース部材２０の側面に設けられた第２開口４３が明るくなり、前照灯１４の側部が明るくなる。
【００３９】
ここでは、光漏洩部３０を設けて電球６０から出射した光が側面に配置された第２開口４３を覆う内側ケース部材２４に向けて漏洩するようにしたので、第２開口４３を任意の位置に設けることができる。このため、前照灯１４の側部での明るくなる位置が限定されなくなるとともに、側部の光と前部の光とを区別できるようになる。
【００４０】
また、内側ケース部材２４に環状部５０と環状溝５２とを設けたので、第２開口とカバー部５４との隙間から液体が浸入しても環状部５０に設けられた環状溝５２を経由して外側ケース部材２０のドレイン部４５に液体を集めやすくなる。このため、液体が浸入してもそれが前照灯１４の内部に残りにくくなり、腐食や絶縁不良などの不具合が生じにくくなる。
【００４１】
＜他の実施形態＞
（ａ）前記実施形態では、自転車用の前照灯を例に本発明を説明したが、自転車用の尾灯に本発明を適用してもよい。
【００４２】
（ｂ）前記実施形態では、光センサによりオンオフする前照灯を例に本発明を説明したが、本発明が適用される自転車用照明装置はこれ限定されず、全ての自転車用照明装置に適用できる。たとえば、リムダイナモと一体化された前照灯にも適用できるとともに、ダイナモに配線により接続される単独の前照灯にも適用できる。
【００４３】
（ｃ）前記実施形態では、ドレイン部４５にドレイン孔４５ｂを形成したが、図６に示すように、ドレイン部１４５が、外側ケース部材から外部に連通するドレイン孔１４５ｂと、ドレイン孔１４５ｂの周囲に形成された凹部１４５ｃとを有していてもよい。この場合、凹部１４５ｃに液体が集まりやすくなり、ドレイン部１４５に集まった液体を効率よく外部に排出できる。
【００４４】
（ｄ）前記実施形態では、光漏洩部３０をレンズ部材２２に設けられた対向部４６で構成したが、光漏洩部３０は、発光部２６の光を内側ケース部材に漏洩させるものであればどのような形態でもよい。たとえば、反射部材２８を透明にするとともに、その装着部６７の内周面にアルミニウム被膜を形成しないようにし、それを光漏洩部とし、装着部６７と区画部材６２のソケット部６２ａとの隙間から内側ケース部材２４に向けて光を漏洩するようにしてもよい。また、装着部６７と対向部４６との２つで光漏洩部を構成してもよい。さらに、反射部材２２の反射部６５の一部にアルミニウム被膜を形成しないようにして光漏洩部を構成してもよい。
【００４５】
（ｅ）前記実施形態では、発光部の光源として電球を例示したが、光源は電球に限定されず発光するものであればどのようなものでもよい。たとえば、光源は、ＬＥＤや蛍光灯であってもよい。
【図面の簡単な説明】
【００４６】
【図１】本発明の一実施形態が採用された自転車の側面図。
【図２】本発明の一実施形態による自転車用照明装置である前照灯の側面図
【図３】その平面図
【図４】その断面図。
【図５】その分解斜視図。
【図６】他の実施形態の図４に相当する図。
【符号の説明】
【００４７】
１４  前照灯
２０  外側ケース部材
２２  レンズ部材
２４  内側ケース部材
２６  発光部
２８  反射部材
３０  光漏洩部
４１  収納空間
４２  第１開口
４３  第２開口
４５，１４５  ドレイン部
４５ｂ，１４５ｂ  ドレイン孔
４６  対向部
５０  環状部
５２  環状溝
６０  電球
６２  区画部材（電球支持部の一例）
１０１  自転車
１４５ｃ  凹部
【図１】
2006205997.tif 000003
【図２】
2006205997.tif 000004
【図３】
2006205997.tif 000005
【図４】
2006205997.tif 000006
【図５】
2006205997.tif 000007
【図６】
2006205997.tif 000008